【手続補正書】
【提出日】平成24年9月26日(2012.9.26)
【手続補正１】
【補正対象書類名】明細書
【補正対象項目名】０００９
【補正方法】変更
【補正の内容】
【０００９】
以上の課題を解決するため、請求項１に記載の発明は、
識別情報を可変表示する可変表示手段と、
音を出力可能な音出力手段と、を備え、
前記可変表示手段による表示結果が特定の表示態様となった場合に遊技者にとって有利な特別遊技状態に制御可能となる遊技機において、
遊技者が認識可能な可聴領域の可聴領域音と遊技者が認識不可能な非可聴領域の非可聴領域音とを含む範囲内で予め設定された複数の演出音の中から遊技機の遊技状態に応じていずれかの演出音を選択設定する音選択設定手段と、
前記音選択設定手段により選択設定された前記演出音を前記音出力手段から出力させる音制御手段と、
前記音制御手段による制御に基づいて前記音出力手段から出力された非可聴領域音を検出する非可聴音検出手段と、
前記非可聴音検出手段の検出結果に基づいて前記音出力手段に異常が発生したか否かを判定する異常判定手段と、
前記異常判定手段により異常が発生したと判定された場合に異常を示す異常情報を前記遊技機の外部に出力する異常情報出力手段と、
を備え、
前記異常判定手段は、
前記音出力手段から非可聴領域音を出力したにもかかわらずに、前記非可聴音検出手段によって当該非可聴領域音が検出されない場合に、前記音出力手段に異常が発生したと判定することを特徴とする。
【手続補正２】
【補正対象書類名】明細書
【補正対象項目名】００１２
【補正方法】変更
【補正の内容】
【００１２】
請求項２に記載の発明は、請求項１に記載の遊技機において、
遊技機に設けられた発光体の装飾制御を行う装飾制御手段を備え、
前記異常判定手段は、
前記非可聴音検出手段が非可聴領域音を検出したにもかかわらずに、前記音出力手段から当該非可聴領域音が出力されていない場合に、前記非可聴音検出手段に異常が発生したと判定を行い、
前記異常判定手段により、前記音出力手段又は前記非可聴音検出手段に異常が発生したと判定された場合には、
前記可変表示手段は、前記識別情報の可変表示を非表示にし、
前記装飾制御手段は、前記発光体を消灯状態にして、前記装飾制御を不能動化するようにしたことを特徴とする。
【手続補正３】
【補正対象書類名】明細書
【補正対象項目名】００１３
【補正方法】変更
【補正の内容】
【００１３】
請求項２に記載の発明によれば、異常判定手段により、音出力手段又は非可聴音検出手段に異常が発生したと判定された場合には、可変表示手段の可変表示を非表示にし、装飾制御手段により発光体を消灯状態にして装飾制御を不能動化することができるので、不正行為により遊技機に異常が発生したことが一見して直ぐに認識することができるようになり、不正行為による被害を好適に防止することができる。
【手続補正４】
【補正対象書類名】明細書
【補正対象項目名】００１６
【補正方法】変更
【補正の内容】
【００１６】
請求項４に記載の発明は、請求項３に記載の遊技機において、
前記音選択設定手段は、
複数種類の異なる周波数の非可聴領域音の中から何れか一の非可聴領域音を設定可能であって、遊技機の外部に設けられ当該遊技機を管理する管理装置から送信される非可聴音設定情報に基づいて、当該一の非可聴領域音を設定するようにし、
前記異常判定手段は、
前記音選択設定手段により設定された一の非可聴領域音と同じ周波数の非可聴領域音を検出したか否かに応じて前記音出力手段に異常が発生したか否かを判定することを特徴とする。
【手続補正５】
【補正対象書類名】明細書
【補正対象項目名】００１８
【補正方法】変更
【補正の内容】
【００１８】
請求項５に記載の発明は、請求項４に記載の遊技機において、
前記管理装置は、非可聴領域音の出力回数及び出力間隔を指定可能であって、
前記非可聴音設定情報は、前記非可聴領域音の出力回数情報及び出力間隔情報を含み、
前記音選択設定手段は更に、
前記管理装置から送信される前記非可聴音設定情報に基づいて、非可聴領域音の出力回数及び出力間隔を設定可能とし、
前記異常判定手段は、
前記音選択設定手段により設定された非可聴領域音の出力回数及び出力間隔と同じ出力回数及び出力間隔の非可聴領域音を検出したか否かに応じて前記音出力手段に異常が発生したか否かを判定することを特徴とする。
【手続補正６】
【補正対象書類名】特許請求の範囲
【補正対象項目名】全文
【補正方法】変更
【補正の内容】
【特許請求の範囲】
【請求項１】
識別情報を可変表示する可変表示手段と、
音を出力可能な音出力手段と、を備え、
前記可変表示手段による表示結果が特定の表示態様となった場合に遊技者にとって有利な特別遊技状態に制御可能となる遊技機において、
遊技者が認識可能な可聴領域の可聴領域音と遊技者が認識不可能な非可聴領域の非可聴領域音とを含む範囲内で予め設定された複数の演出音の中から遊技機の遊技状態に応じていずれかの演出音を選択設定する音選択設定手段と、
前記音選択設定手段により選択設定された前記演出音を前記音出力手段から出力させる音制御手段と、
前記音制御手段による制御に基づいて前記音出力手段から出力された非可聴領域音を検出する非可聴音検出手段と、
前記非可聴音検出手段の検出結果に基づいて前記音出力手段に異常が発生したか否かを判定する異常判定手段と、
前記異常判定手段により異常が発生したと判定された場合に異常を示す異常情報を前記遊技機の外部に出力する異常情報出力手段と、
を備え、
前記異常判定手段は、
前記音出力手段から非可聴領域音を出力したにもかかわらずに、前記非可聴音検出手段によって当該非可聴領域音が検出されない場合に、前記音出力手段に異常が発生したと判定することを特徴とする遊技機。
【請求項２】
遊技機に設けられた発光体の装飾制御を行う装飾制御手段を備え、
前記異常判定手段は、
前記非可聴音検出手段が非可聴領域音を検出したにもかかわらずに、前記音出力手段から当該非可聴領域音が出力されていない場合に、前記非可聴音検出手段に異常が発生したと判定を行い、
前記異常判定手段により、前記音出力手段又は前記非可聴音検出手段に異常が発生したと判定された場合には、
前記可変表示手段は、前記識別情報の可変表示を非表示にし、
前記装飾制御手段は、前記発光体を消灯状態にして、前記装飾制御を不能動化するようにしたことを特徴とする請求項１に記載の遊技機。
【請求項３】
前記非可聴音検出手段は、前記音出力手段の後方に配置され、前記音出力手段から出力される逆位相の非可聴領域音を検出するようにしたことを特徴とする請求項２に記載の遊技機。
【請求項４】
前記音選択設定手段は、
複数種類の異なる周波数の非可聴領域音の中から何れか一の非可聴領域音を設定可能であって、遊技機の外部に設けられ当該遊技機を管理する管理装置から送信される非可聴音設定情報に基づいて、当該一の非可聴領域音を設定するようにし、
前記異常判定手段は、
前記音選択設定手段により設定された一の非可聴領域音と同じ周波数の非可聴領域音を検出したか否かに応じて前記音出力手段に異常が発生したか否かを判定することを特徴とする請求項３に記載の遊技機。
【請求項５】
前記管理装置は、非可聴領域音の出力回数及び出力間隔を指定可能であって、
前記非可聴音設定情報は、前記非可聴領域音の出力回数情報及び出力間隔情報を含み、
前記音選択設定手段は更に、
前記管理装置から送信される前記非可聴音設定情報に基づいて、非可聴領域音の出力回数及び出力間隔を設定可能とし、
前記異常判定手段は、
前記音選択設定手段により設定された非可聴領域音の出力回数及び出力間隔と同じ出力回数及び出力間隔の非可聴領域音を検出したか否かに応じて前記音出力手段に異常が発生したか否かを判定することを特徴とする請求項４に記載の遊技機。